(57)【要約】  互いに異なる移動通信ネットワーク間のハンドオーバにおける音声の途切れ等を発話者に通知する。互いに異なる移動通信ネットワーク間のハンドオーバ機能を備えた移動通信端末において、移動通信ネットワーク間のハンドオーバを通知する報知動作を行う報知部を備え、（１）通信方式切替に関する無線部の切替、（２）通信方式切替に関する音声データ方式の切替のいずれかが発生したときに、上記報知部を少なくとも移動通信システム間のハンドオーバによる音声データの瞬断期間をカバーできるよう所定時間動作させる。【特許請求の範囲】
【請求項１】
互いに異なる通信方式を採用する移動通信ネットワーク間のハンドオーバ機能を備えた移動通信端末において、
少なくとも移動通信ネットワーク間のハンドオーバ中に、操作者に対する所定の報知動作を行う報知部を備えたこと、
を特徴とする移動通信端末。
【請求項２】
請求項１に記載の移動通信端末において、
更に、前記報知動作のオンオフを設定する報知動作設定部を備えたこと、
を特徴とする移動通信端末。
【請求項３】
請求項１又は２に記載の移動通信端末において、
更に、前記報知動作の種類を選択設定する報知動作選択部を備えたこと、
を特徴とする移動通信端末。
【請求項４】
請求項１乃至３いずれか一に記載の移動通信端末において、
前記報知部は、切替元の移動通信ネットワークの基地局との通信が切断されたタイミングで起動されること、
を特徴とする移動通信端末。
【請求項５】
請求項１乃至４いずれか一に記載の移動通信端末において、
前記報知部は、切替元の移動通信ネットワークからのハンドオーバ要求を受信したタイミングで起動されること、
を特徴とする移動通信端末。
【請求項６】
請求項１乃至５いずれか一に記載の移動通信端末において、
前記報知部は、移動通信端末からハンドオーバ要求を送信したタイミングで起動されること、
を特徴とする移動通信端末。
【請求項７】
請求項１乃至６いずれか一に記載の移動通信端末において、
前記報知部は、移動通信端末のスピーカから所定の報知音を出力し、
前記報知音は、移動通信ネットワーク間のハンドオーバにより音声通話が途切れる開始点を含んだ所定時間出力されること、
を特徴とする移動通信端末。
【請求項８】
互いに異なる通信方式を採用する移動通信ネットワーク間のハンドオーバ機能を備えた移動通信端末を用いた、ハンドオーバ動作の通知方法であって、
前記移動通信端末の無線制御部が、切替元の移動通信ネットワークの基地局との通信の停止を検知するステップと、
前記切替元の移動通信ネットワークの基地局との通信の停止をトリガとして、前記移動通信端末の報知部が、所定の報知動作を開始するステップと、を含むこと、
を特徴とするハンドオーバ動作の通知方法。
【請求項９】
互いに異なる通信方式を採用する移動通信ネットワーク間のハンドオーバ機能を備えた移動通信端末を用いた、ハンドオーバ動作の通知方法であって、
前記移動通信端末のプロトコル制御部が、切替元の移動通信ネットワークからのハンドオーバ要求の受信を検知するステップと、
前記ハンドオーバ要求の受信をトリガとして、前記移動通信端末の報知部が、所定の報知動作を開始するステップと、を含むこと、
を特徴とするハンドオーバ動作の通知方法。
【請求項１０】
互いに異なる通信方式を採用する移動通信ネットワーク間のハンドオーバ機能を備えた移動通信端末を用いた、ハンドオーバ動作の通知方法であって、
前記移動通信端末の通信制御部が、切替先の基地局に対して、ハンドオーバ要求を送信するステップと、
前記ハンドオーバ要求の送信をトリガとして、前記移動通信端末の報知部が、所定の報知動作を開始するステップと、を含むこと、
を特徴とするハンドオーバ動作の通知方法。
【発明の詳細な説明】
【技術分野】
【０００１】
本発明は、移動通信端末及びハンドオーバ動作の通知方法に関し、特に、異なる通信方式を採用する移動通信ネットワーク間のハンドオーバ機能を備えた移動通信端末及び異なる移動通信ネットワーク間のハンドオーバ動作の通知方法に関する。
【背景技術】
【０００２】
ＰＤＣ（Ｐｅｒｓｏｎａｌ  Ｄｉｇｉｔａｌ  Ｃｅｌｌｕｌａｒ）方式、ＰＨＳ（Ｐｅｒｓｏｎａｌ  Ｈａｎｄｙｐｈｏｎｅ  Ｓｙｓｔｅｍ）方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式等のＴＤＭＡ（Ｔｉｍｅ  Ｄｉｖｉｓｉｏｎ  Ｍｕｌｔｉｐｌｅ  Ａｃｃｅｓｓ）を用いた移動通信ネットワーク、ｃｄｍａＯｎｅと呼ばれるＣＤＭＡ（Ｃｏｄｅ  Ｄｉｖｉｓｉｏｎ  Ｍｕｌｔｉｐｌｅ  Ａｃｃｅｓｓ）を用いた移動通信ネットワーク、更には、第３世代に属するＷ−ＣＤＭＡ方式やＣＤＭＡ２０００方式による移動通信ネットワークが構築されている。【０００３】
これらの移動通信ネットワークのサービスエリアは、キャリア（通信事業者）が異なる場合はもちろんとして、同一キャリア（通信事業者）であっても端末世代間で通信方式が異なるため、図８に示すように互いに重なり合っている。【０００４】
移動機一台で複数の移動通信ネットワークに対応できるようにすれば、より高い通信品質、或いは、より安い通信料を求めて、通信中に移動通信ネットワークを切り替えることが可能となり、ユーザに多大な利便性を与えることができる。この種の移動通信端末は、各移動通信ネットワークが採用する通信方式に対応するハードウェアを搭載することで実現でき、例えば、ＰＤＣ方式とＰＨＳ方式に対応する移動端末や、Ｗ−ＣＤＭＡ方式とＧＳＭ方式に対応する移動端末が知られている。また、特許文献１には、各移動通信システムに対応するソフトウェアを搭載することで上記機能を実現する移動通信端末が紹介されている。【０００５】
【特許文献１】特開２００３−１０１４７４号公報
【発明の開示】
【発明が解決しようとする課題】
【０００６】
しかしながら、上記異なる移動通信ネットワーク間のハンドオーバでは、切り替えの際に通信が短時間断絶し、音声の品質劣化や、音声通話が途切れる瞬断現象が表れてしまうという問題点がある。何よりも不便なのは、受話者に会話の一部分が伝わらなかったことを発話者が全く認識できないことである。
【課題を解決するための手段】
【０００７】
本発明の第１の視点によれば、上記互いに異なる通信方式を採用する移動通信ネットワーク間のハンドオーバ機能を備えた移動通信端末において、少なくとも移動通信ネットワーク間のハンドオーバ中に、操作者に対する所定の報知動作を行う報知部を備える移動通信端末が提供される。【０００８】
また、本発明の第２の視点によれば、上記した移動通信端末を用いて、所定のハンドオーバ開始トリガを検知して、上述した音声品質の劣化や音声通話が途切れる現象等が発生することを発話者に認識させることのできるハンドオーバ動作の通知方法が提供される。
【発明の効果】
【０００９】
本発明によれば、移動通信端末ユーザは、会話に間を置く、言い直すなど、音声品質の劣化や音声通話が途切れる現象を意識した会話が可能となる。
【図面の簡単な説明】
【００１０】
【図１】本発明の一実施の形態に係る携帯電話端末の概略構成を表したブロック図である。
【図２】本発明の第１の実施例に係る携帯電話端末の構成を表した図である。
【図３】本発明の第１の実施例に係る携帯電話端末における設定作業の流れを表した図である。
【図４】本発明の第１の実施例の動作を表したフローチャートである。
【図５】本発明の第１の実施例の動作を表したタイミングチャートである。
【図６】本発明の第２の実施例の動作を表したフローチャートである。
【図７】本発明の第２の実施例の動作を表したタイミングチャートである。
【図８】移動通信ネットワークの概要を説明するための図である。
【符号の説明】
【００１１】
１１  報知部
１２  スピーカ１
１３  スピーカ２
１４  マイク
１５  アンプ／パス制御部
１６  サウンドデータ処理部
１７  音源（部）
１８  音声データ処理部
２０  ユーザ操作部
２１  表示部
２２  入力部
３１  マルチモード送受信ユニット
３３Ａ、３３Ｂ  プロトコル制御部
３４Ａ、３４Ｂ  無線制御部
３５Ａ、３５Ｂ  無線部
１００  携帯電話端末
【発明を実施するための最良の形態】
【００１２】
続いて、本発明を実施するための最良の形態について図面を参照して詳細に説明する。図１は、本実施の形態に係る携帯電話端末の概略構成を表したブロック図である。図１を参照すると、報知部１１と、表示部２１と、ユーザ操作部２０と、通信方式Ａと通信方式Ｂを含む通信方式をサポートするマルチモード送受信ユニット３１を備えた通信制御部３０とを備える携帯電話端末１００が示されている。【００１３】
報知部１１は、操作者に対し、移動通信ネットワーク間のハンドオーバが行われていることを通知するためのスピーカ、バイブレータ、発光素子等であり、携帯電話端末１００に備えられている着信通知手段を用いることができる。【００１４】
表示部２１は、携帯電話端末１００に備えられた液晶ディスプレイ装置等である。ユーザ操作部２０は、携帯電話端末１００に備えられた入力ボタンやポインティングデバイス等の入力部２２を含んで構成されている。【００１５】
マルチモード送受信ユニット３１は、前述したＰＤＣ、ＰＨＳ、ＧＳＭ、ＣＤＭＡ等方式を採用する移動通信ネットワークに属する基地局との間で無線信号の送受信を可能とすべく、図示しないマルチバンドアンテナ（空中線）、給電線、送受信用高周波増幅器等を備えて構成されている。【００１６】
上述の構成からなる携帯電話端末１００は、各移動通信ネットワークに属する最寄基地局との通信品質ＱｏＳを監視している。例えば、通信方式Ａを採用する第１の移動通信ネットワークを介して通話中に通信品質ＱｏＳが所定値以下となった場合に、通信方式Ｂを採用する第２の移動通信ネットワークに切り替える動作（以下、網間ハンドオーバともいう）が行われる。【００１７】
携帯電話端末１００は、前記網間ハンドオーバを開始するとともに、例えば、切替元／先の基地局に対し、ハンドオーバ要求を送信したタイミングで、報知部１１の起動を開始し、予め定めた動作を所定時間行う。この報知動作は、例えば、上記網間ハンドオーバによる音声データの瞬断期間をカバーできるように継続される。これにより、操作者は、音声の途切れや、音質の劣化が生じ易い状態になっていることを認識することが可能となる。
【実施例１】
【００１８】
続いて、網間ハンドオーバ通知音の開始／停止のタイミングについてより詳細に説明すべく、図面を参照して、第１、第２の実施例を詳細に説明する。図２は、本発明の第１の実施例に係る携帯電話端末の構成を表した図である。以下、携帯電話端末が、プロトコル制御部、無線制御部、無線部をそれぞれ２つ搭載し、通信方式Ａ、通信方式Ｂの双方に対応可能となっている例にて説明する。【００１９】
音声制御部１０は、携帯電話端末１００の音に関する機能を提供するユニットである。図２のブロック図では、音声制御部１０は、複数のスピーカ１２、１３及びマイク１４と接続されるとともに、アナログ化された音データを然るべきスピーカから然るべき音量で鳴らすためのアンプ／パス制御部１５、音源（部）１７や音声データ処理部から出力されるデジタルデータをアナログデータに変換するサウンドデータ処理部１６、着信音等の電子音を発生させる音源（部）１７、通話音声のエンコード／デコードを行なう音声データ処理部１８、から構成されている。【００２０】
ユーザ操作部２０は、ユーザインタフェースに関する機能を提供するユニットである。図２のブロック図では、ユーザ操作部２０は、入力ボタンやポインティングデバイス等の入力部２２を備え、接続された液晶ディスプレイ装置等の表示部２１に各種設定の受付結果や携帯電話端末１００の状態を表示することが可能となっている。【００２１】
通信制御部３０は、基地局を含む移動通信ネットワークとの通信の制御を行うユニットである。図２のブロック図では、通信制御部３０は、共通プロトコル制御部３２の制御下に、所定のプロトコルにて移動通信ネットワークと情報をやり取りするプロトコル制御部３３Ａ、３３Ｂ、基地局と物理的な情報のやり取りを行う無線部３５Ａ、３５Ｂ、並びに、無線制御部３４Ａ、３４Ｂが配置され、通信方式Ａ及び通信方式Ｂに対応可能となっている。【００２２】
また、携帯電話端末１００には、電源制御部、外部インタフェース制御部などがあるが、これらは、本実施例とは直接関係しないため省略する。【００２３】
続いて、図３を参照して、携帯電話端末１００における設定作業の流れについて説明する。網間ハンドオーバの報知を受けるためには、予め携帯電話端末１００にて当該機能を有効化しておく必要がある。ユーザが、ユーザ操作部２０を介して、携帯電話端末１００のメニューより網間ハンドオーバ通知に関するメニュー項目を選択すると（ステップＳ１）、網間ハンドオーバ通知音の設定画面が表示される（ステップＳ２）。ここで、ユーザが、ユーザ操作部２０を介して、網間ハンドオーバ通知音を鳴らすか鳴らさないかの設定（ＯＮ／ＯＦＦ）を行うと（ステップＳ３）、その旨が通信制御部３０に通知される（ステップＳ４）。【００２４】
続いて、図面を参照して、携帯電話端末１００における網間ハンドオーバ動作とその報知が行なわれる流れについて説明する。図４、図５は、網間ハンドオーバ動作とその報知の流れを表したフローチャートとタイミングチャートである。図４（図５）を参照すると、通信方式Ａにて音声データの送受信中（通話中）に、ネットワークからの指令により、通信方式の切り替え要求が行われると（ステップＳ１１）、プロトコル制御部３３Ａは、通信方式Ａの通信を停止すべく、無線制御部３４Ａに対して通信停止を指示する（ステップＳ１２）。【００２５】
前記指示を受け取った無線制御部３４Ａは、無線部３５Ａに対して通信の停止制御を行い、無線部３５Ａの通信の停止指令後、無線制御部３４Ａは、下りの音声として、音声制御部１０に対して網間ハンドオーバ通知音を送信する（ステップＳ１３）。これにより、スピーカを介した網間ハンドオーバ通知音の出力が開始される。【００２６】
図５の通信方式Ａ停止処理時間にて示された通信方式Ａの停止処理の終了後、通信方式Ｂでの通信開始手順が実行される。プロトコル制御部３３Ａが、プロトコル共通制御部３２に対して通信方式Ａの停止が完了した旨を通知すると（ステップＳ１４）、プロトコル共通制御部３２は、プロトコル制御部３４Ｂに対して通信開始を指示する（ステップＳ１５）。【００２７】
前記通信開始指示を受け取ったプロトコル制御部３３Ｂは、通信方式Ｂの通信を開始すべく、無線制御部３４Ｂに対して通信開始を指示する（ステップＳ１６）。前記指示を受け取った無線制御部３４Ｂは、無線部３５Ｂに対して通信の開始制御を行う。【００２８】
無線部３５Ｂが通信可能となった段階で、無線制御部３４Ｂは、無線制御部３４Ａに対して、網間ハンドオーバ通知音の停止を指示する（ステップＳ１７）。網間ハンドオーバ通知音の停止指示を受け取った無線制御部３４Ａは、上述のステップＳ１３とは逆に、網間ハンドオーバ通知音を停止するよう音声制御部１０に通知する。【００２９】
以降、通信方式Ｂにて音声データの送受信（通話）が行われる（ステップＳ１８）。以上のとおり、本実施例では、通話中に行われる移動通信ネットワークの切替による、通話データの瞬断や一時的な音声の品質劣化を、携帯電話端末の操作者に認知させ、それを意識した会話を行わせることが可能となる。
【実施例２】
【００３０】
上記した第１の実施例では無線制御部が、通信停止を行ったタイミングを用いて、音声制御部１０に対し網間ハンドオーバの通知音を出力するよう指示する例を示したが、同様の構成の携帯電話端末のプロトコル制御部から網間ハンドオーバの通知音を出力するよう指示させることも可能である。以下、上記した第１の実施例と重複する部分は省略して、本発明の第２の実施例を説明する。【００３１】
図６、図７は、網間ハンドオーバ動作とその報知の流れを表した別のフローチャートとタイミングチャートである。図６（図７）を参照すると、通信方式Ａにて音声データの送受信中（通話中）に、ネットワークからの指令により、通信方式の切り替え要求が行われると（ステップＳ２１）、プロトコル制御部３３Ａは、通信方式Ａの通信を停止すべく、無線制御部３４Ａに対して通信停止を指示する（ステップＳ２２）。【００３２】
前記指示を受け取った無線制御部３４Ａは、無線部３５Ａに対して通信の停止制御を行う。一方、プロトコル制御部３３Ａは、無線制御部３４Ａへの通信の停止指令後、プロトコル共通制御部３２を介して、音源（部）１７に対し網間ハンドオーバ通知音の発生を要求する（ステップＳ２３）。以降、着信音出力時と同様に、音声データ処理部１８、サウンドデータ処理部１６、アンプ／パス制御部１５を介して所定の音声パターンがスピーカから出力開始される。【００３３】
図７の通信方式Ａ停止処理時間にて示された通信方式Ａの停止処理の終了後、通信方式Ｂでの通信開始手順が実行される。プロトコル制御部３３Ａが、プロトコル共通制御部３２に対して通信方式Ａの停止が完了した旨を通知すると（ステップＳ２４）、プロトコル共通制御部３２は、プロトコル制御部３３Ｂに対して通信開始を指示する（ステップＳ２５）。【００３４】
前記通信開始指示を受け取ったプロトコル制御部３３Ｂは、通信方式Ｂの通信を開始すべく、無線制御部３４Ｂに対して通信開始を指示する（ステップＳ２６）。前記指示を受け取った無線制御部３４Ｂは、無線部３５Ｂに対して通信の開始制御を行う。【００３５】
無線部３５Ｂが通信可能となった段階で、プロトコル制御部３３Ｂは、音源（部）１７に対して、網間ハンドオーバ通知音の停止を指示する（ステップＳ２７）。網間ハンドオーバ通知音の停止指示を受け取った無音源（部）１７は、網間ハンドオーバ通知音を出力を停止する。【００３６】
以降、通信方式Ｂにて音声データの送受信（通話）が行われる（ステップＳ２８）。以上のとおり、本実施例では、通話中に行われる移動通信ネットワークの切替による、通話データの瞬断や一時的な音声の品質劣化を、携帯電話端末の操作者に認知させ、それを意識した会話を行わせることが可能となる。【００３７】
例えば、ユーザが移動している場合、上述した網間ハンドオーバにより、しばしば会話内容が瞬断されることになるが、上記した各実施例に係る携帯電話端末を所持するユーザは、網間ハンドオーバ通知音が鳴り止むのを待ってから会話を続ける、重要な部分を言い直す等の適切な行動を取ることが可能となる。【００３８】
以上、本発明の実施の形態及び実施例を説明したが、網間ハンドオーバに際し操作者への報知ができるものであれば、上述のスピーカ以外の報知手段も用いることができる。また、上記した本発明の実施の形態及び実施例では携帯電話端末に本発明を適用した例を挙げて説明したが、その他通話機能を具備しうるＰＤＡ（Ｐｅｒｓｏｎａｌ  Ｄｉｇｉｔａｌ  Ａｓｓｉｓｔａｎｔ）、ウェアラブル端末にも適用可能であることはもちろんである。【００３９】
また、上記した実施例では、携帯電話端末のメニュー画面から網間ハンドオーバ通知音を鳴らすか鳴らさないかの設定（ＯＮ／ＯＦＦ）のみを行うものとして説明したが、通知音のパターンを変更させることや、上述のスピーカ以外の報知手段がある場合には、これらの一ないし組み合わせを選択させることも可能である。【００４０】
また、この網間ハンドオーバ通知音の出力音量は、携帯電話端末１００の着信音等の出力レベルに関係なく、大きめの音量で出力されるようにしてもよい。このようにすれば、騒がしい車内等であっても、発話者に確実に認識させることが可能となる。
【図１】
2006095652.tif 000002
【図２】
2006095652.tif 000003
【図３】
2006095652.tif 000004
【図４】
2006095652.tif 000005
【図５】
2006095652.tif 000006
【図６】
2006095652.tif 000007
【図７】
2006095652.tif 000008
【図８】
2006095652.tif 000009
【国際調査報告】
2006095652.tif 000010
2006095652.tif 000011
2006095652.tif 000012
2006095652.tif 000013